(57)【要約】ディスプレイを備える移動通信端末にて実行されるブラウザ・アプリケーションで複数のページを表示することを制御する。第１のブラウザ・ウィンドウに以前に表示されたページのグラフィック表現からなる第１のセットを作成する。第２のブラウザ・ウィンドウが存在する場合、第２のブラウザ・ウィンドウに以前に表示されたページのグラフィック表現からなる第２のセットを作成する。少なくとも第１のセットのサブセットを、ディスプレイの第１の方向に沿って、第１の空間的な系列として表示する。第２のブラウザ・ウィンドウが存在する場合、少なくとも第２のセットのサブセットを、第１の方向に沿って、且つ、第１の空間的な系列から、第１の方向に直角な第２の方向に沿う間隔を置いて、第２の空間的な系列として表示する。直前に訪問されたページを示すインジケータを、ディスプレイ上に示す。【選択図】図４
2009539161.tif 000002
【特許請求の範囲】
【請求項１】
ディスプレイを備える移動通信端末にて実行されるブラウザ・アプリケーションで複数のページを表示することを制御する方法であって、前記方法が、
・  第１のブラウザ・ウィンドウに以前に表示されたページのグラフィック表現からなる第１のセットを作成することと、
・  第２のブラウザ・ウィンドウが存在する場合、第２のブラウザ・ウィンドウに以前に表示されたページのグラフィック表現からなる第２のセットを作成することと、
・  少なくとも前記第１のセットのサブセットを、前記ディスプレイの第１の方向に沿って、第１の空間的な系列として表示することと、
・  第２のブラウザ・ウィンドウが存在する場合、少なくとも前記第２のセットのサブセットを、前記第１の方向に沿って、かつ前記第１の空間的な系列から、前記第１の方向に直角な第２の方向に間隔を置いて、第２の空間的な系列として表示することと、
・  直前に訪問されたページを示すインジケータを前記ディスプレイに表示することと、
を含む、方法。
【請求項２】
前記インジケータを表示するにあたり、前記直前に訪問されたページに対応するグラフィック表現が前記ディスプレイ上で利用可能である場合、前記インジケータが、前記直前に訪問されたページに対応する前記グラフィック表現に関連する位置に表示される、請求項１に記載の方法。
【請求項３】
前記インジケータを表示するにあたり、前記直前に訪問されたページに対応するグラフィック表現が前記ディスプレイ上で利用不可能である場合、前記インジケータが、前記直前に訪問されたページに対応する前記グラフィック表現の論理的な方向を示すように位置付けられる、請求項１に記載の方法。
【請求項４】
前記インジケータを表示するにあたり、前記インジケータがピンに似せて描画される、請求項１に記載の方法。
【請求項５】
前記第１および第２の空間的な系列が、前記ページの各々が表示されてきた時間的な順序に各々対応する、請求項１に記載の方法。
【請求項６】
前記グラフィック表現が、以前に表示されたページの縮小版表現を含む、請求項１に記載の方法。
【請求項７】
前記グラフィック表現が、以前に表示されたページの少なくとも部分的な縮小版表現を含む、請求項１に記載の方法。
【請求項８】
前記グラフィック表現が、以前に表示されたページを表すグラフィック記号を含む、請求項１に記載の方法。
【請求項９】
前記第１の方向が横方向であって、前記第２の方向が縦方向である、請求項１に記載の方法。
【請求項１０】
前記第１の方向が縦方向であって、前記第２の方向が横方向である、請求項１に記載の方法。
【請求項１１】
・  所望の表現を選択したいという要望を表す第１のユーザ・アクションを検知することと、
・  前記所望の表現を強調表示することと、
をさらに含む、請求項１に記載の方法。
【請求項１２】
・  前記所望の表現に対応するページを表示したいという要望を表す第２のユーザ・アクションを検知することと、
・  前記ページを表示することと、
をさらに含む、請求項１１に記載の方法。
【請求項１３】
前記第１のユーザ・アクションを検知することが、入力デバイスを介して検知することを含み、前記入力デバイスは、ナビゲーション・キー、ジョイスティック、キーパッド上のキー、この用途専用のキー、および音声コマンド手段を含むグループから選択されたデバイスである、請求項１１に記載の方法。
【請求項１４】
第２のユーザ・アクションを前記検知することが、入力デバイスを介して検知することを含み、前記入力デバイスは、ナビゲーション・キー、ジョイスティック、キーパッド上のキー、この用途専用のキー、および音声コマンド手段を含むグループから選択されたデバイスである、請求項１２に記載の方法。
【請求項１５】
前記ページを前記表示することが、デジタル・ネットワークを介してサーバから前記ページを検索することを含む、請求項１２に記載の方法。
【請求項１６】
前記ページを前記表示することが、前記移動通信端末内のメモリから前記ページを検索することを含む、請求項１２に記載の方法。
【請求項１７】
前記所望の表現を前記強調表示することが、前記所望の表現を前記ディスプレイ上でセンタリングすることを含む、請求項１１に記載の方法。
【請求項１８】
前記所望の表現を強調表示する前記ステップが、前記所望の表現のサイズを大きくすることを含む、請求項１１に記載の方法。
【請求項１９】
前記所望の表現を前記強調表示することが、前記表現の周りにフレームを表示することを含む、請求項１１に記載の方法。
【請求項２０】
前記所望の表現を前記強調表示することが、前記所望の表現のコントラストを強調させることを含む、請求項１１に記載の方法。
【請求項２１】
前記所望の表現を前記強調表示することが、前記所望の表現を色で強調することを含む、請求項１１に記載の方法。
【請求項２２】
前記所望の表現を前記強調表示することが、前記所望の表現に近接してテキストを表示することを含む、請求項１１に記載の方法。
【請求項２３】
ディスプレイを備える移動通信端末であって、前記移動通信端末は、前記移動通信端末にて実行されるブラウザ・アプリケーションで複数のページを表示するように構成されており、前記移動通信端末が、
・  第１のブラウザ・ウィンドウに以前に表示されたページのグラフィック表現からなる第１のセットを作成する手段と、
・  第２のブラウザ・ウィンドウが存在する場合、第２のブラウザ・ウィンドウに以前に表示されたページのグラフィック表現からなる第２のセットを作成する手段と、
・  少なくとも前記第１のセットのサブセットを、前記ディスプレイの第１の方向に沿って、第１の空間的な系列として表示する手段と、
・  第２のブラウザ・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示する手段と、
・  直前に訪問されたページを示すインジケータを前記ディスプレイに表示する手段と、
をさらに備える、移動通信端末。
【請求項２４】
ディスプレイとコントローラとを備える移動通信端末であって、
・  前記移動通信端末は、前記移動通信端末にて実行されるブラウザ・アプリケーションで複数のページを表示するように構成され、
・  前記コントローラは、第１のブラウザ・ウィンドウに以前に表示されたページのグラフィック表現からなる第１のセットを作成するように構成され、
・  前記コントローラは、第２のブラウザ・ウィンドウが存在する場合、第２のブラウザ・ウィンドウに以前に表示されたページのグラフィック表現からなる第２のセットを作成するように構成され、
・  前記コントローラは、少なくとも前記第１のセットのサブセットを、前記ディスプレイの第１の方向に沿って、第１の空間的な系列として表示するように構成され、
・  前記コントローラは、第２のブラウザ・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示するように構成され、
・  前記コントローラは、直前に訪問したページを示すインジケータを前記ディスプレイに表示するように構成される、
移動通信端末。
【請求項２５】
移動通信端末にて実行されると請求項１に記載の方法を遂行するソフトウェア命令を含む、コンピュータ・プログラム。
【発明の詳細な説明】
【関連出願の相互参照】
【０００１】
本願は、２００５年６月２９日に出願された米国特許出願第１１／１７０７９４号の一部継続出願である。
【分野】
【０００２】
本明細書に開示される実施形態は概ね移動通信端末のブラウザ・アプリケーションに関するものであり、特に、移動通信端末のブラウザでページを表示することに関する。
【背景】
【０００３】
移動通信端末は過去１０年間に劇的に変化してきた。最初の２Ｇ端末における実質的な唯一の用途は普通の電話をかけることであったが、現在の移動通信端末は、２．５Ｇ（ＧＰＲＳ）、ＣＤＭＡ２０００、およびＵＭＴＳ技術を伴って、音声通信に役立つだけでなく、テキストおよびマルチメディア・メッセージングなどのデジタル通信のほか、インターネット・サーバによって提供されるコンテンツのブラウジングにも用いられている。
【０００４】
ブラウザ・アプリケーションに通常含まれる機能として、履歴アイテムとも呼ばれる、以前に訪問したページへナビゲートする能力がある。これを行う１つのやり方は、ブラウザの戻るボタンを使用して履歴をさかのぼり、進むボタンを使用して履歴を先へ進むことである。多くの場合、履歴モードを呼び出してカレント・ウィンドウの履歴アイテムをリストに表示し、リスト中の履歴アイテムをユーザが選択できるようにすることが可能である。
【０００５】
しかし移動通信端末ではリソースが限られることにより、戻るボタンおよび進むボタンを使用することはしばしば顕著な遅延の原因となる。このため、移動通信端末のブラウザに関しては、ユーザ・フレンドリな履歴機能を提供することが早急に求められている。
【０００６】
米国特許出願第２００４／０００３３５１号明細書は、以前に閲覧したグラフィカルに表現されたリソース・ページをユーザがブラウズできるようにする、ブラウザ・セッションのナビゲーション・ツールを提示している。
【０００７】
米国特許出願第２００４／０１３９１４３号明細書は、多次元ナビゲーションを可能にする、ｗｅｂナビゲーション・スキームを提示している。
【０００８】
しかしながら、履歴アイテムの間をナビゲートするのに直観的で簡単なユーザ・インターフェースをどのようにしてユーザへ提示するかという問題が、依然として残っている。
【特許文献１】米国特許出願第２００４／０００３３５１号明細書
【特許文献２】米国特許出願第２００４／０１３９１４３号明細書
【摘要】
【０００９】
上記の事情に鑑み、本発明の目的は、従来技術に関する上記およびその他の問題と欠点とを解消するか少なくとも低減すること、ならびに移動通信端末の改善をもたらすことである。
【００１０】
上記の目的および目標は、添付の独立請求項に従う方法、移動通信端末、およびコンピュータ・プログラムによって概ね達成される。
【００１１】
本発明の第１の態様は、ディスプレイを備える移動通信端末にて実行されるブラウザ・アプリケーションで複数のページを表示することを制御する方法である。この方法は、以下のステップ群を含む。
【００１２】
第１のブラウザ・ウィンドウに以前に表示されたページのグラフィック表現（graphical representation）からなる第１のセットを作成すること；
【００１３】
第２のブラウザ・ウィンドウが存在する場合、第２のブラウザ・ウィンドウに以前に表示されたページのグラフィック表現からなる第２のセットを作成すること；
【００１４】
少なくとも前記第１のセットのサブセットを、前記ディスプレイの第１の方向に沿って、第１の空間的な系列として表示すること；
【００１５】
第２のブラウザ・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示すること；
【００１６】
直前に訪問されたページを示しているインジケータを前記ディスプレ上に表示すること。
【００１７】
上記の方法は、各々複数の表現（representation）が関係付けられる複数のウィンドウにそれぞれ関する、複数の表現（representation）を、ユーザが単一のスクリーンからナビゲートする手法を提供する。
【００１８】
インジケータを表示する前記ステップでは、前記直前に訪問されたページに対応するグラフィック表現が前記ディスプレイ上で利用可能である場合、前記インジケータを、前記直前に訪問されたページに対応する前記グラフィック表現に関連する位置に表示してもよい。この状況での利用可能とは、前記ディスプレイ上に少なくとも部分的に表示されていることと解釈すべきである。
【００１９】
インジケータを表示する前記ステップでは、前記直前に訪問されたページに対応するグラフィック表現が前記ディスプレイ上で利用不可能である場合、前記インジケータを、前記直前に訪問されたページに対応する前記グラフィック表現の論理的な方向を示すように位置付けてもよい。この状況での利用不可能とは、グラフィック表現が利用可能な場合とは異なるやり方で表示されていることと解釈すべきである。例えば、利用不可能な表現としては、そのことを示すように、全く表示されない場合、異なる色、サイズ、コントラストで表示される場合などがあり得る。
【００２０】
インジケータを表示する前記ステップでは、前記インジケータを、ピンに似せて描画してもよい。
【００２１】
前記第１および第２の空間的な系列は、前記ページの各々が表示されてきた時間的な順序に各々対応してもよい。
【００２２】
前記グラフィック表現は、以前に表示されたページの縮小版表現を含んでもよい。
【００２３】
前記グラフィック表現は、以前に表示されたページの少なくとも部分的な縮小版表現を含んでもよい。
【００２４】
前記グラフィック表現は、以前に表示されたページを表すグラフィック記号を含んでもよい。
【００２５】
実施形態によっては、前記第１の方向が横方向であって、前記第２の方向が縦方向であってもよい。
【００２６】
実施形態によっては、前記第１の方向が縦方向であって、前記第２の方向が横方向であってもよい。
【００２７】
本方法は、さらに以下のステップを含んでもよい。それは、
【００２８】
所望の表現を選択したいという要望を表す第１のユーザ・アクションを検知することと、
【００２９】
次いで、前記所望の表現を強調表示すること、である。
【００３０】
本方法は、さらに以下のステップを含んでもよい。それは、
【００３１】
前記所望の表現に対応するページを表示したいという要望を表す第２のユーザ・アクションを検知することと、
【００３２】
次いで、前記ページを表示すること、である。
【００３３】
第１のユーザ・アクションを検知する前記ステップは、入力デバイスを介して検知することを含んでもよい。この入力デバイスは、例えばナビゲーション・キー、ジョイスティック、キーパッド上のキー、この用途専用のキー、および音声コマンド手段を含むグループから選択されたデバイスである。
【００３４】
第２のユーザ・アクションを検知する前記ステップは、入力デバイスを介して検知することを含んでもよい。この入力デバイスは、例えばナビゲーション・キー、ジョイスティック、キーパッド上のキー、この用途専用のキー、および音声コマンド手段を含むグループから選択されたデバイスである。
【００３５】
前記ページを表示する前記ステップは、デジタル・ネットワークを介してサーバから前記ページを検索することを含んでもよい。
【００３６】
前記ページを表示する前記ステップは、前記移動通信端末内のメモリから前記ページを検索することを含んでもよい。
【００３７】
前記所望の表現を強調表示する前記ステップは、前記ディスプレイ上で前記所望の表現をセンタリングすることを含んでもよい。
【００３８】
前記所望の表現を強調表示する前記ステップは、前記所望の表現のサイズを大きくすることを含んでもよい。
【００３９】
前記所望の表現を強調表示する前記ステップは、前記所望の表現の周りにフレームを表示することを含んでもよい。
【００４０】
前記所望の表現を強調表示する前記ステップは、前記所望の表現のコントラストを強調させることを含んでもよい。
【００４１】
前記所望の表現を強調表示する前記ステップは、前記所望の表現を色で強調することを含んでもよい。
【００４２】
前記所望の表現を強調表示する前記ステップは、前記所望の表現に近接してテキストを表示することを含んでもよい。
【００４３】
本発明の第２態様は、ディスプレイを備える移動通信端末であって、前記移動通信端末は、前記移動通信端末にて実行されるブラウザ・アプリケーションで複数のページを表示するように構成されている。移動通信端末は、以下を含む。
【００４４】
第１のブラウザ・ウィンドウに以前に表示されたページのグラフィック表現からなる第１のセットを作成する手段。
【００４５】
第２のブラウザ・ウィンドウが存在する場合、第２のブラウザ・ウィンドウに以前に表示されたページのグラフィック表現からなる第２のセットを作成する手段。
【００４６】
少なくとも前記第１のセットのサブセットを、前記ディスプレイの第１の方向に沿って、第１の空間的な系列として表示する手段。
【００４７】
第２のブラウザ・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示する手段。
【００４８】
直前に訪問されたページを示しているインジケータを前記ディスプレイ上に表示する手段。
【００４９】
この方法は、各々のウィンドウに複数の表現がある状態の複数のウィンドウに関係している表現の間を、ユーザが単一のディスプレイからナビゲートできるようにする、移動通信端末を提供する。
【００５０】
本発明の第３態様は、移動通信端末にて実行されると本発明の第１態様の方法を遂行するソフトウェア命令を含むコンピュータ・プログラムである。
【００５１】
このコンピュータ・プログラムは、各々のウィンドウに複数の表現がある状態の複数のウィンドウに関係している表現の間を、ユーザが単一のディスプレイからナビゲートする手法を提供する。
【００５２】
本発明のその他の目的、特徴、および利点は、以下の詳細な開示、ならびに添付の独立した請求項および図面から明らかになる。
【００５３】
ここで、添付の図面を参照しつつ、本発明をさらに詳細に説明する。
【図面の簡単な説明】
【００５４】
【図１】本発明の一実施形態による移動電話通信端末および関連要素を示す概略ブロック図である。
【００５５】
【図２】本発明の一実施形態による移動通信端末及びその外面のコンポーネントの一部を示す概略図である。
【００５６】
【図３】本発明の一実施形態による移動体端末の内部コンポーネントとソフトウェア構成とを示す概略ブロック図である。
【００５７】
【図４】本発明の一実施形態においてページを表示する方法を示すフロー図である。
【００５８】
【図５】図５Ａ〜図５Ｅは、本発明の一実施形態において特定の表現を強調表示するやり方を示す図である。
【００５９】
【図６】図６Ａ〜図６Ｃは、本発明の一実施形態において最後に訪問されたページを示すことの利用シナリオを示す図である。
【発明の詳細な説明】
【００６０】
図１は、本発明の一実施形態による移動電話通信端末１００および関連要素の概略ブロック図である。トランシーバ１１０を使用して、アンテナ１１１を介して基地局１０２と通信する。基地局１０２は、図には示さないその他の要素を介して直接的または間接的に、デジタル・ネットワーク１０５など他のネットワークと通信している。デジタル・ネットワーク１０５は、例えばインターネットなどのワイド・エリア・ネットワーク（ＷＡＮ：ｗｉｄｅ  ａｒｅａ  ｎｅｔｗｏｒｋ）、またはローカル・エリア・ネットワーク（ＬＡＮ：ｌｏｃａｌ  ａｒｅａ  ｎｅｔｗｏｒｋ）とすればよい。さらに、デジタル・ネットワーク１０５には、サーバ１０７が接続している。サーバ１０７は、計算能力およびデジタル・ネットワーク１０５への接続機能を備える、各種コンピュータ・デバイスとすればよい。これには、例えばＵＮＩＸ関連のオペレーティング・システム、Ｌｉｎｕｘ、ＢＳＤ、Ｓｕｎ  Ｓｏｌａｒｉｓ、Ｍｉｃｒｏｓｏｆｔ  Ｗｉｎｄｏｗｓ、Ｍａｃ  ＯＳ  Ｘ、Ｎｏｖｅｌｌ  Ｎｅｔｗａｒｅなどといった数多くのオペレーティング・システムのいずれかを実行するサーバが含まれる。トランシーバ１１０は、ＧＳＭ、ＵＭＴＳ、ＣＤＭＡ２０００、Ｗ−ＣＤＭＡ、ＥＤＧＥ、ＩＥＥＥ８０２．１１など、適切な任意の電気通信標準に従って動作するようになっていてもよい。
【００６１】
移動体端末には、コントローラ１１２が備わっており、このコントローラは、移動体端末の全体的な動作をつかさどり、市販されている任意のＣＰＵ（「Ｃｅｎｔｒａｌ  Ｐｒｏｃｅｓｓｉｎｇ  Ｕｎｉｔ：中央演算処理装置」）、ＤＳＰ（「Ｄｉｇｉｔａｌ  Ｓｉｇｎａｌ  Ｐｒｏｃｅｓｓｏｒ：デジタル信号プロセッサ」）、またはマイクロコントローラなどの他の任意の電子プログラム可能な論理デバイスによって実現されることが好ましい。コントローラ１１２は、ＲＡＭメモリ、ＲＯＭメモリ、ＥＥＰＲＯＭメモリ、フラッシュ・メモリまたはそれらの任意の組み合わせなどの関連電子メモリ１１３を有する。メモリ１１３は、コントローラ１１２によって様々な用途に使用され、用途のうちの１つとして、移動体端末にて様々なソフトウェア用のデータおよびプログラム命令を保存することがある。
【００６２】
コントローラ１１２は、ディスプレイ１１４に連結されており、このディスプレイは、例えば進行中の特定の通話、移動電話通信端末１００に保存されている電気通信番号、ワイヤレス通信リンク１０４の信号強度、他の移動電話通信端末から受信したメッセージなどに関する視覚データなどを、移動電話通信端末１００のユーザへ提供する。特に、ディスプレイは、移動電話通信端末１００のユーザへ、ｗｅｂ／ｗａｐページからのテキスト・データおよびグラフィックス・データを提供してもよい。
【００６３】
コントローラ１１２は、そのほかに入力ユニット１１５に連結されており、この入力ユニットは、キーボード／キーパッド、スクリーン上のタッチセンシティブ・キーボード、アイテムのスクロールおよび選択用のナビゲーション・ホイールまたはジョイスティック、ディスプレイ１１４上に示された数字および／または文字などの形をしていてもよい。入力ユニット１１５は、移動電話通信端末１００と一体になっていてもよいし、または移動電話通信端末１００から独立していてもよく、その場合入力ユニットは、必要に応じて移動電話通信端末に接続される。あるいは、移動電話通信端末１００は、通常使用のための１２キーの数字キーパッド（０−９の数字、＊および＃）など小型キーボードの形をした一体型入力ユニット１１５のほか、例えばより多くのテキストを入力するためのＱＷＥＲＴＹキーボードなどの形をした外部入力ユニットを接続するコネクタ（図示せず）を、備えてもよい。
【００６４】
移動体端末１００の実施形態２００を図２に示す。当技術分野では公知のように、移動体端末２００は、装置の筐体２０１、スピーカ２０３、ディスプレイ２１４、一般的なＩＴＵ−Ｔタイプのキーパッド（英数字のキーパッド）などを含む一連のキー２１９、およびマイクロフォン２０６を備える。加えて、図２には示さないが、移動体端末２００は様々な内部コンポーネントを備えており、そのうち最も重要なものについては図１に示している。外面のコンポーネント２０３、２１４、２１９および２０６はいずれも、移動体端末のユーザ・インターフェースの一部である。
【００６５】
さらに、ユーザ・インターフェースには、ジョイスティックの形をしたマルチウェイ入力デバイス２１６が含まれる。ユーザは、このハンドルを、複数の方向２１７／２１８へ動かすことができ、それによって、ジョイスティック付きの移動体端末では本質的に従来通りのやり方で、ナビゲートする動作を命じること、言い換えればディスプレイ２１４に示された情報２０７の中を対応する方向にナビゲートすることができるようになる。ナビゲーションの方向は、図２にて実線の矢印で示すように合計で４つとするとよく、ディスプレイ２１４および装置の筐体２０１の前面と実質的に一致するかまたは平行するベース平面に対して、「上、下、左、右」に直角に分布させてもよい。あるいは、ナビゲーションの方向を、上述の４つの方向の間に設けた追加的な中間方向を用いて、８に増やすこともできる。さらにユーザは、ジョイスティック２１６をベース平面に対して垂直に動かすこと、例えばジョイスティックの上部を押し下げることによって、情報２０７の中で選択動作を実行することもできる。この結果、実装に応じて、ジョイスティック・ハンドルの全体がずれるか、またはジョイスティックの選択ボタンが押し下げられる。そのようなジョイスティックの選択ボタンは、一部の実施形態では、ジョイスティック・ハンドルの上部に位置していることがあり、別の実施形態では、ジョイスティック・ハンドルに隣接してベース平面上に据え付けられていることもある。なお、４ウェイ、５ウェイ、８ウェイまたは９ウェイのナビゲーション・キーを使用して、ジョイスティックによって得られる機能と同様の機能を備えることもできる。
【００６６】
ここで、図３を参照して一実施形態による移動体端末の内部コンポーネントおよびソフトウェア構成について説明する。移動体端末は、図１のコントローラ１１２に相当するコントローラ３１２を有する。コントローラ３１２は、図１のメモリ１１３に相当する関連電子メモリ３１３を有する。メモリ３１３は、コントローラ３１２によって様々な用途に使用され、用途のうちの１つとして、移動体端末にて様々なソフトウェア用のデータおよびプログラム命令を保存することがある。ソフトウェアは、リアルタイム・オペレーティング・システム３２０、マンマシン・インターフェース（ＭＭＩ：ｍａｎ−ｍａｃｈｉｎｅ  ｉｎｔｅｒｆａｃｅ）ドライバ３３４、アプリケーション・ハンドラ３３２のほか、各種のアプリケーション３４０、３４２、３４４および３４６を含む。特有のアプリケーションとして、ブラウザ・アプリケーション３４０がある。ブラウザ・アプリケーションは、オペレータ固有のサーバ上のサーバ、またはインターネット上のサーバから得るｗａｐおよび／またはｗｅｂページを表示することができる。ブラウザ・アプリケーションは、接続性ハンドラ３３０に含まれているＴＣＰ／ＩＰスタックを使用して、ＲＦモジュール３２３またはＢｌｕｅｔｏｏｔｈ（登録商標）モジュール３２２を介してサーバと通信する。転送しなければならないデータ量を最小限に抑えるために、ブラウザ・アプリケーション３４０は、最近閲覧されたページをメモリ３１３に保存してもよい。その結果、ユーザが、最近閲覧したページの閲覧を要求した場合に、そのページをネットワークまたはＢｌｕｅｔｏｏｔｈを通じて再度検索するのではなく、メモリ３１３から検索すればよい。他のアプリケーションとしては、通話処理アプリケーション３４２、メッセージング・アプリケーション３４４、およびコンタクト・アプリケーション３４６が挙げられる。当技術分野では周知のように、その他いくつかのアプリケーション（図示せず）を含めてもよく、カレンダ・アプリケーション、コントロール・パネル・アプリケーション、カメラ・アプリケーション、メディア・プレーヤ、ビデオ・ゲーム、ノートパッド・アプリケーションなどが挙げられるが、これらに限定されるものではない。
【００６７】
ＭＭＩドライバ３３４は、ディスプレイ３１４のほかマイクロフォン、スピーカ、バイブレータ、キーパッド、ジョイスティック、着信音発生器、ＬＥＤインジケータ、音量調節器など他の様々なＩ／Ｏデバイス３３８と協働する。周知のように、ユーザは、そのように形成されたマンマシン・インターフェースを通じて移動体端末を動作させることもできる。
【００６８】
ソフトウェアとしては、さらに様々なモジュール、プロトコル・スタック、ドライバなどがあり、これらは一般に接続性ハンドラ３３０と呼ばれ、ＲＦインターフェース３２３、ならびに任意的にＢｌｕｅｔｏｏｔｈインターフェース３２２、ＷＬＡＮインターフェース（図示せず）またはＩｒＤＡインターフェース（図示せず）に対して、通信サービス（搬送、ネットワークおよび接続性など）を提供する。ＲＦインターフェース３２３には、基地局へのワイヤレス・リンク（例えば、図１におけるリンク１０４および基地局１０２）を確立し維持するための内部または外部アンテナのほか適切な無線回路が含まれる。当業者には公知のように、無線回路は、一体となって無線受信機および送信機を形成する一連のアナログおよびデジタル電子コンポーネントを含む。これらのコンポーネントとしては、特に、帯域通過フィルタ、増幅器、混合器、局部発振器、低域通過フィルタ、ＡＤ／ＤＡ変換器などが挙げられる。
【００６９】
移動体端末は、さらに、ＳＩＭカード３２４および関連リーダを有する。周知のように、ＳＩＭカード３２４は、プロセッサのほか、ローカルの作業およびデータ用メモリを含む。
【００７０】
図４は、本発明の一実施形態においてページを表示する方法を示すフロー図である。本実施形態では、ページは、例えばｗｗｗ履歴ページまたはｗａｐ履歴ページであってもよいが、グラフィカルなディスプレイ上に表示可能なコンテンツを含んだページであれば他のいかなるタイプのページであってもよい。実施形態によっては、本方法がユーザからの入力によってトリガされた履歴モードにて実行され、ユーザからの入力としては、例えば専用キーの押し下げ、この入力を受け入れるように一時的に割り当てられたキー（ソフト・キーとも呼ばれる）の押し下げ、複数キーの組み合わせの押し下げ、ジョイスティックを介した入力、音声コマンド、またはその他の適切な任意の入力方法などがある。一方、単一モードの実施形態では、下記に説明するような履歴アイテムを選択する機能が常に存在し、そのためユーザからの開始トリガを必要としない。
【００７１】
グラフィック表現の第１のセットを作成するステップ４１０にて、第１のブラウザ・ウィンドウの、以前に訪問されたｗｅｂ・ページの複数のグラフィック表現を作成する。これは、各表現が以前に訪問されたページに対応するという点で、履歴リストに類似する。グラフィック表現は、訪問されたｗｅｂ・ページの、サムネイルとも呼ばれる縮小版であることが好ましいが、必須ではない。縮小版表現は、ページ全体の縮小版であってもよいし、またはページのサブセットの縮小版であってもよい。縮小版がサブセットである場合、サブセットは、左上の角か、そのページが最後に表示されたやり方に対応する位置か、あるいはそのページを個々に表せる位置に、位置付けられてもよい。任意ではあるが、表現を、そのページを表す記号、例えばアイコンなどとしてもよい。作成するグラフィック表現のセットは、第１のブラウザ・ウィンドウにて以前に訪問したページの完全なセットであってもよいし、あるいは最後の１ページ、最後の１０ページ、または最後に訪問した任意の好きな数のページといった、サブセットであってもよい。後に必要が生じれば、そのとき別のサブセットを用意することもできる。
【００７２】
グラフィック表現の第２のセットを作成するステップ４１１では、グラフィック表現の第１のセットと同じように、ただし第２のブラウザ・ウィンドウに関して、グラフィック表現の第２のセットを作成する。第２のセットは、第２のブラウザ・ウィンドウにて以前に訪問したページの完全なセットであってもよいし、あるいは最後の１ページ、最後の１０ページ、または最後に訪問した任意の好きな数のページといった、サブセットであってもよい。すなわち、ブラウザでは少なくとも２つのウィンドウがアクティブになっており、故に表現の第１のセットはカレント・ウィンドウに関係し、表現の第２のセットはもう一つ別の使用中でないウィンドウに関連する。追加的なセットを作成することもでき、その場合各々のセットは、別個のウィンドウにて以前に訪問されたページに対応する。第２ウィンドウの機能を、独自の履歴を伴った、第２の単独のブラウジング・スレッドを備えることによって実現してもよい。任意ではあるが、第２ウィンドウまたはブラウジング・スレッドが存在しない場合、第２のセットは空にすればよい。
【００７３】
第１のセットを表示するステップ４１２では、表現の第１のセットを、移動通信端末２００のディスプレイ２１４上に表示する。表現は一列に、好ましくは横方向または縦方向に、提示される。第１のセットが、ディスプレイ２１４に収まりきらない数の表現を含む場合、表現のサブセットが表示される。図５に関連して下記にさらに詳細に説明する強調表示によって、最後に閲覧されたページが最初に選択されることが好ましい。
【００７４】
第２のセットを表示するステップ４１３では、第２のセットの全体またはサブセットを、移動通信端末２００のディスプレイ２１４上に表現する。第２のセットは、第１のセットの列と平行する一列に表示される。実施形態によっては、処理能力およびメモリ使用量を節約するように、第２のセットのサブセットにアイテムを１つだけ含めてもよい。サブセットが１つの表現しか含まない場合、表現は上述のように列になって提示されることはないが、サブセットのこの１つの表現が、第１サブセットの列からやはり垂直距離を隔てて表示されることになる。追加的なセットがある場合、これらのセットを適宜表示する。セットは、対応するウィンドウが最初に開かれたときの順序、ウィンドウが最後に訪問されたときの順序、またはその他の適切ないずれかの順序に、並び替えられてもよい。この並び替えは、利用可能なセットが２つ以上存在する場合に、特に実用的である。任意ではあるが、第２のセット、第３セットなどが空の場合には、このステップではいかなる表現も表示しない。
【００７５】
セットの表示中、ディスプレイに見える領域の外のアイテムを部分的または全面的に非表示にするように仮想ディスプレイを使用することもでき、これによりユーザが、スクロールバー、ズーミング、または他のスクリーン・ナビゲーション機能を用いて、上述のアイテムを閲覧することが可能になる。
【００７６】
所望の表現に関するユーザ・アクションを検知するステップ４１４では、ユーザがどの表現を所望しているかを検知する。ユーザは、ジョイスティック２１６を用いて、またはタッチセンシティブ・スクリーン、メニュー・システム、音声認識またはその他の適切ないずれかの入力方法によって、利用可能な表現の間をナビゲートしてきたと考えられる。ユーザは、ディスプレイ２１４上に表されるあらゆるウィンドウに関する履歴の中を行き来して、表現の間をナビゲートすることが可能である。
【００７７】
所望の表現を強調表示するステップ４１５では、例えば図５に関連して下記に説明するように所望の表現を強調表示する。所望の表現に関するユーザ・アクションを検知するステップ４１４、および所望の表現を強調表示するステップ４１５は、ユーザが満足するまで繰り返されてもよい。単一モード方法が選択されている場合は、所望の表現を強調表示しさえすれば、表示されたページの内容をユーザが閲覧できるようになる。例えば、強調表示によって、所望のビューを拡大し、所望のビューをディスプレイの中心に配置するとよく、それによりユーザが所望の表現を閲覧することが可能になる。単一モードが選択されている場合は、従って、強調表示された表現が通常のブラウザ・ウィンドウのように機能するので、ユーザがウィンドウ内をスクロールすること、リンクを有効化することなどが可能になる。
【００７８】
所望の表現を表示するためのユーザ・アクションを検知するステップ４１６では、ユーザが、現在所望している表現に対応するページを閲覧したい旨を示す。このことは、例えば専用キーの押し下げ、この入力を受け入れるように一時的に割り当てられたキー（ソフト・キーとも呼ばれる）の押し下げ、複数キーの組み合わせの押し下げ、ジョイスティックを介した入力、音声コマンド、またはその他の適切ないずれかの入力方法によって、検知されてもよい。あるいは、タイムアウトが所望の表現を表示するトリガとなってもよく、この場合タイムアウトは、ユーザ入力の生じない期間である。単一モード方法が選択されている場合は、既にユーザには所望の表現全体が見えているので、本ステップは不要である。
【００７９】
所望の表現を表示するステップ４１７では、メインのブラウザ・ウィンドウが再びスクリーンを支配し、所望のページがディスプレイ２１４に表示される。ページは、図１に示したサーバ１０７からネットワーク１０５を通じて検索されてもよい。ロードする時間の短縮およびネットワーク・トラフィックの軽減のために、もう１つの方法として、ページを、予め保存されたコピーとしてメモリ１１３から検索することもでき、この方法はキャッシングとも呼ばれている。単一モード方法が選択されている場合は、既にユーザには所望の表現全体が見えているので、本ステップは不要である。
【００８０】
図５Ａ−Ｅは、特定の表現を強調表示する、いくつかの選択可能なやり方を示す。これは例えば、ユーザが特定の表現を表示させるように選択したいと所望する場合などに有用である。なお、強調表示の多様な選択可能な方法を、所望する任意のやり方で組み合わせることもできる。
【００８１】
図５Ａでは、表現５１１が、第１のブラウザ・ウィンドウに表示されたページの強調表示された表現であり、表現５１２は、強調表示された表現５１１のページよりも前の時点に、第１のブラウザ・ウィンドウにて以前に閲覧されたページの表現であり、表現５１３は、強調表示された表現５１１のページよりも後の時点に、第１のブラウザ・ウィンドウにて以前に閲覧されたページの表現である。
【００８２】
図５Ａでは、強調表示された表現５１１が、強調表示された表現５１１を中央に位置付けることによって示されている。加えて、例えばタイトル・テキストなど、強調表示された表現のページに関係するテキスト５１６が表示されている。
【００８３】
図５Ｂでは、表現５２１が、第１のブラウザ・ウィンドウに表示されたページの強調表示された表現であり、表現５２２は、強調表示された表現５２１のページよりも前の時点に、第１のブラウザ・ウィンドウにて以前に閲覧された表現である。この場合、強調表示された表現５２１の右側に表現が存在しないことに留意されたい。これは、強調表示された表現５２１のページよりも後の時点には、第１ウィンドウに何もページが表示されなかったためである。言い換えれば、強調表示された表現５２１から時間的に後の履歴は存在しない。表現５２４は、第２のブラウザ・ウィンドウのページの表現であり、表現５２５は、第３ブラウザ・ウィンドウのページの表現である。
【００８４】
図５Ｂでは、強調表示された表現５２１が、強調表示された表現５２１のサイズを他の表現に比べて大きくすることによって示されている。
【００８５】
図５Ｃでは、表現５３１が、第１のブラウザ・ウィンドウに表示されたページの強調表示された表現であり、表現５３３は、強調表示された表現のページよりも後の時点に、第１のブラウザ・ウィンドウにて以前に閲覧されたページの表現である。この場合、強調表示された表現５３１の左側に表現が存在しないことに留意されたい。これは、強調表示された表現５３１よりも前の時点には、第１ウィンドウに何もページが表示されなかったためである。言い換えれば、強調表示された表現５３１から時間的に遡る履歴は存在しない。表現５３４は、第２のブラウザ・ウィンドウのページの表現であり、表現５３５は、第３ブラウザ・ウィンドウのページの表現である。
【００８６】
図５Ｃでは、強調表示された表現５３１が、中央にある強調表示された表現５３１の周りにフレーム５３７を表示することによって示されている。
【００８７】
図５Ｄでは、表現５４１が、第１のブラウザ・ウィンドウに表示されたページの強調表示された表現であり、表現５４２は、強調表示された表現５４１のページよりも前の時点に、第１のブラウザ・ウィンドウにて以前に閲覧されたページの表現であり、表現５４３は、強調表示された表現５４１のページよりも後の時点に、第１のブラウザ・ウィンドウにて以前に閲覧されたページの表現である。表現５４６、５４４および５４７はいずれも第２ウィンドウにて以前に閲覧されたページの表現であり、これらのページは、５４６、５４４および５４７の位置に対応する時間順序で閲覧されたものである。言い換えれば、表現５４６のページは、表現５４４のページよりも前に表示されたものであり、さらに表現５４４のページは、表現５４７のページよりも前に表示されたものである。表現５４８、５４５、５４９はいずれも第３ウィンドウにて以前に閲覧されたページの表現であり、これらのページは、５４８、５４５、５４９に対応する時間順序で閲覧されたものである。
【００８８】
図５Ｄでは、強調表示された表現５４１が、強調表示された表現５４１のコントラストを強調させることによって示されている。
【００８９】
図５Ｅでは、表現５５１が第１のブラウザ・ウィンドウにて表示されたページの強調表示された表現であり、表現５５２は、強調表示された表現５５１のページよりも前の時点に、第１のブラウザ・ウィンドウにて以前に閲覧されたページの表現であり、表現５５３は、強調表示された表現５５１のページよりも後の時点に、第１のブラウザ・ウィンドウにて以前に閲覧されたページの表現である。この例では、表現５５２が、部分的にしか見えないことに留意されたい。表現５５４は、第２のブラウザ・ウィンドウのページの表現である。
【００９０】
図５Ｅでは、強調表示された表現５５１が、強調表示された表現５５１の色を強調することによって示されている。
【００９１】
図６Ａ−Ｃは、図２に示す移動体端末２００における、最後に訪問したページのインジケータの様々な利用シナリオを示す。スクリーンの構成は、図５Ａ−Ｅに示すものと同様である。
【００９２】
図６Ａでは、表現６３１が、第１のブラウザ・ウィンドウにて表示されたページの強調表示された表現であり、表現（単数または複数）６３３は、強調表示された表現６３１のページよりも後の時点に、第１のブラウザ・ウィンドウにて以前に閲覧されたページの表現である。図６Ａでは、強調表示された表現６３１の左側には表現が存在しないことに留意されたい。これは、強調表示された表現６３１のページよりも前の時点には、第１ウィンドウに何もページが表示されなかったためである。言い換えれば、強調表示された表現６３１から時間的に前の履歴は存在しない。表現６３４は、第２のブラウザ・ウィンドウのページの表現であり、表現６３５は、第３ブラウザ・ウィンドウのページの表現である。
【００９３】
最後に訪問されたページのインジケータ６３８は、履歴ビューが表示される以前に、最後にどのページを訪問していたかを示す。この例では、インジケータ６３８はピンとして表示されているが、任意の好適な表示方法を選択することができる。
【００９４】
インジケータ６３８は、履歴ナビゲーション・スクリーンにてユーザが自分の場所を見失うリスクを減らす。従ってユーザは、履歴ナビゲーション・スクリーンをナビゲートする以前に自分がどのウィンドウのどのページにいたのかを、容易に認識することができる。
【００９５】
図６Ｂは、ユーザが履歴をはるかにさかのぼってナビゲートしたために、最後に訪問したページがもはやスクリーン上で見えなくなっている状態を示す。最後に訪問したページのインジケータ６３９は、ページが位置する方向に位置付けられているが、故にいずれの表現にも関連していない。インジケータ６３９がピンである場合には、ピンの頭部のみを表示して、インジケータ６３９は表現に関連していないということを示す。
【００９６】
図６Ｃでは、表現６３２が、強調表示された表現６３１のページよりも前の時点に、第１のブラウザ・ウィンドウにて以前に閲覧されたページの表現である。さらにこの図では、最後に訪問されたページは、第３ブラウザ・ウィンドウにあるページの表現６３５よりも前に履歴をさかのぼったページである。結果として、最後に訪問されたページのインジケータ６３９は、この第３ブラウザ・ウィンドウにて最後に訪問されたページが位置する方向を示す。
【００９７】
本発明について、複数の実施形態を参照して上記に一般的に説明した。一方、当業者にはすぐに分かることであるが、添付の特許請求項によって定義される本発明の範囲内で、上記に開示された実施形態以外の実施形態も同様に実現可能である。
【図１】
2009539161.tif 000003
【図２】
2009539161.tif 000004
【図３】
2009539161.tif 000005
【図４】
2009539161.tif 000006
【図５】
2009539161.tif 000007
【図６】
2009539161.tif 000008
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
ディスプレイを備える移動通信端末にて実行されるアプリケーションで複数のビューを表示することを制御する方法であって、前記方法が、
・  第１のアプリケーション・ウィンドウに、以前に表示されたビューのグラフィック表現からなる第１のセットを作成することと、
・  第２のアプリケーション・ウィンドウが存在する場合、該第２のアプリケーション・ウィンドウに、以前に表示されたビューのグラフィック表現からなる第２のセットを作成することと、
・  少なくとも前記第１のセットのサブセットを、前記ディスプレイの第１の方向に沿って、第１の空間的な系列として表示することと、
・  前記第２のアプリケーション・ウィンドウが存在する場合、少なくとも前記第２のセットのサブセットを、前記第１の方向に沿って、かつ前記第１の空間的な系列から、前記第１の方向に直角な第２の方向に間隔を置いて、第２の空間的な系列として表示することと、
・  直前に訪問されたビューを示すインジケータを前記ディスプレイに表示することと、
を含む、方法。
【請求項２】
前記インジケータを表示するにあたり、前記直前に訪問されたビューに対応するグラフィック表現が前記ディスプレイ上で利用可能である場合、前記インジケータが、前記直前に訪問されたビューに対応する前記グラフィック表現に関連する位置に表示される、請求項１に記載の方法。
【請求項３】
前記インジケータを表示するにあたり、前記直前に訪問されたビューに対応するグラフィック表現が前記ディスプレイ上で利用不可能である場合、前記インジケータが、前記直前に訪問されたビューに対応する前記グラフィック表現の論理的な方向を示すように位置付けられる、請求項１又は２に記載の方法。
【請求項４】
前記インジケータを表示するにあたり、前記インジケータがピンに似せて描画される、請求項１から３のいずれかに記載の方法。
【請求項５】
前記第１および第２の空間的な系列が、前記ビューの各々が表示されてきた時間的な順序に各々対応する、請求項１から４のいずれかに記載の方法。
【請求項６】
前記グラフィック表現が、以前に表示されたビューの縮小版表現を含む、請求項１から５のいずれかに記載の方法。
【請求項７】
前記グラフィック表現が、以前に表示されたビューの少なくとも部分的な縮小版表現を含む、請求項１から６のいずれかに記載の方法。
【請求項８】
前記グラフィック表現が、以前に表示されたビューを表すグラフィック記号を含む、請求項１から７のいずれかに記載の方法。
【請求項９】
前記第１の方向が横方向であって、前記第２の方向が縦方向である、請求項１から８のいずれかに記載の方法。
【請求項１０】
前記第１の方向が縦方向であって、前記第２の方向が横方向である、請求項１から８のいずれかに記載の方法。
【請求項１１】
・  所望の表現を選択したいという要望を表す第１のユーザ・アクションを検知することと、
・  前記所望の表現を強調表示することと、
をさらに含む、請求項１から１０のいずれかに記載の方法。
【請求項１２】
・  前記所望の表現に対応するビューを表示したいという要望を表す第２のユーザ・アクションを検知することと、
・  前記ビューを表示することと、
をさらに含む、請求項１１に記載の方法。
【請求項１３】
前記第１のユーザ・アクションを検知することが、入力デバイスを介して検知することを含み、前記入力デバイスは、ナビゲーション・キー、ジョイスティック、キーパッド上のキー、この用途専用のキー、および音声コマンド手段を含むグループから選択されたデバイスである、請求項１１又は１２に記載の方法。
【請求項１４】
第２のユーザ・アクションを前記検知することが、入力デバイスを介して検知することを含み、前記入力デバイスは、ナビゲーション・キー、ジョイスティック、キーパッド上のキー、この用途専用のキー、および音声コマンド手段を含むグループから選択されたデバイスである、請求項１２又は１３に記載の方法。
【請求項１５】
前記ビューを前記表示することが、デジタル・ネットワークを介してサーバから前記ビューを検索することを含む、請求項１２から１４のいずれかに記載の方法。
【請求項１６】
前記ビューを前記表示することが、前記移動通信端末内のメモリから前記ビューを検索することを含む、請求項１２から１５のいずれかに記載の方法。
【請求項１７】
前記所望の表現を前記強調表示することが、前記所望の表現を前記ディスプレイ上でセンタリングすることを含む、請求項１１から１６のいずれかに記載の方法。
【請求項１８】
前記所望の表現を強調表示する前記ことが、前記所望の表現のサイズを大きくすることを含む、請求項１１から１７のいずれかに記載の方法。
【請求項１９】
前記所望の表現を前記強調表示することが、前記表現の周りにフレームを表示することを含む、請求項１１から１８のいずれかに記載の方法。
【請求項２０】
前記所望の表現を前記強調表示することが、前記所望の表現のコントラストを強調させることを含む、請求項１１から１９のいずれかに記載の方法。
【請求項２１】
前記所望の表現を前記強調表示することが、前記所望の表現を色で強調することを含む、請求項１１から２０のいずれかに記載の方法。
【請求項２２】
前記所望の表現を前記強調表示することが、前記所望の表現に近接してテキストを表示することを含む、請求項１１から２１のいずれかに記載の方法。
【請求項２３】
ディスプレイを備える移動通信端末であって、前記移動通信端末は、前記移動通信端末にて実行されるアプリケーションで複数のビューを表示するように構成されており、前記移動通信端末が、
・  第１のアプリケーション・ウィンドウに、以前に表示されたビューのグラフィック表現からなる第１のセットを作成する手段と、
・  第２のアプリケーション・ウィンドウが存在する場合、該第２のアプリケーション・ウィンドウに、以前に表示されたビューのグラフィック表現からなる第２のセットを作成する手段と、
・  少なくとも前記第１のセットのサブセットを、前記ディスプレイの第１の方向に沿って、第１の空間的な系列として表示する手段と、
・  前記第２のアプリケーション・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示する手段と、
・  直前に訪問されたビューを示すインジケータを前記ディスプレイに表示する手段と、
をさらに備える、移動通信端末。
【請求項２４】
ディスプレイとコントローラとを備える移動通信端末であって、
・  前記移動通信端末は、前記移動通信端末にて実行されるアプリケーションで複数のビューを表示するように構成され、
・  前記コントローラは、第１のアプリケーション・ウィンドウに、以前に表示されたビューのグラフィック表現からなる第１のセットを作成するように構成され、
・  前記コントローラは、第２のアプリケーション・ウィンドウが存在する場合、該第２のアプリケーション・ウィンドウに、以前に表示されたビューのグラフィック表現からなる第２のセットを作成するように構成され、
・  前記コントローラは、少なくとも前記第１のセットのサブセットを、前記ディスプレイの第１の方向に沿って、第１の空間的な系列として表示するように構成され、
・  前記コントローラは、前記第２のアプリケーション・ウィンドウが存在する場合、少なくとも前記第２のセットのサブセットを、前記第１の方向に沿って、且つ、前記第１の空間的な系列から、前記第１の方向に直角な第２の方向に沿う間隔を置いて、第２の空間的な系列として表示するように構成され、
・  前記コントローラは、直前に訪問したビューを示すインジケータを前記ディスプレイに表示するように構成される、
移動通信端末。
【請求項２５】
移動通信端末にて実行されると請求項１に記載の方法を遂行するソフトウェア命令を含む、コンピュータ・プログラム。
【請求項２６】
前記ビューは前記アプリケーションのページである、請求項１に記載の方法。
【国際調査報告】
2009539161.tif 000009
2009539161.tif 000010
2009539161.tif 000011
2009539161.tif 000012